(57)【要約】【課題】  情報の受け手側の抵抗感の軽減を図る。【解決手段】  開示度設定部１４にて第１の開示度を設定する。カメラ１１，マイク１２およびセンサ１３により、端末装置１の使用者に係わる複数の情報を取得する。開示制御部１５は、上記の複数の情報から第１の開示度に応じて情報を抽出し、この抽出した情報を含んだ伝送情報を作成する。送信部１６は、上記の伝送情報を相手端末へ送信する。相手端末から送信された伝送情報は、受信部１７で受信する。開示度設定部１４は第２の開示度を設定する。提示制御部１８は、受信された伝送情報に含まれる情報から第２の開示度に応じて情報を抽出し、この抽出した情報を提示するように表示部１９やスピーカ２０を制御する。【選択図】      図１
2006163572.tif 000002
【特許請求の範囲】
【請求項１】
常時接続された第１および第２の端末を利用して前記第１の端末の使用者と前記第２の端末の使用者とのコミュニケーションを可能とする常時接続型コミュニケーション方法において、
前記第１の端末では、
第１の開示度を設定し、
前記第１の端末の使用者に係わる複数の情報を取得し、
前記複数の情報から前記第１の開示度に応じて情報を抽出し、
前記抽出された情報を前記第２の端末へ送信し、
前記第２の端末では、
第２の開示度を設定し、
前記第１の端末から送信された情報を受信し、
前記受信された情報から前記第２の開示度に応じて情報を抽出し、
前記受信された情報から抽出手段により抽出された情報を前記第２の端末の使用者に提示することを特徴とする常時接続型コミュニケーション方法。
【請求項２】
前記第１の端末および第２の端末の少なくともいずれか一方は、前記第１の使用者の生活パターンに基づいて前記第１の開示度または前記第２の開示度を自動設定することを特徴とする請求項１に記載の常時接続型コミュニケーション方法。
【請求項３】
前記第１の端末および第２の端末の少なくともいずれか一方は、前記第１の使用者に係わるバイタル値に基づいて前記第１の開示度または前記第２の開示度を自動設定することを特徴とする請求項１に記載の常時接続型コミュニケーション方法。
【請求項４】
前記第１の端末および第２の端末の少なくともいずれか一方は、前記第１の端末の周囲環境に係わる値に基づいて前記第１の開示度または前記第２の開示度を自動設定することを特徴とする請求項１に記載の常時接続型コミュニケーション方法。
【請求項５】
常時接続された第１および第２の端末を含む常時接続型コミュニケーションシステムであって、
前記第１の端末は、
第１の開示度を設定する手段と、
前記第１の端末の使用者に係わる複数の情報を取得する手段と、
前記複数の情報から前記第１の開示度に応じて情報を抽出する手段と、
前記抽出された情報を前記第２の端末へ送信する手段とを具備し、
前記第２の端末は、
第２の開示度を設定する手段と、
前記第１の端末から送信された情報を受信する手段と、
前記受信された情報から前記第２の開示度に応じて情報を抽出する抽出手段と、
前記抽出手段により抽出された情報を前記第２の端末の使用者に提示する手段とを具備したことを特徴とする常時接続型コミュニケーションシステム。
【請求項６】
相手端末に常時接続される端末装置であって、
開示度を設定する手段と、
前記相手端末から送信された情報を受信する手段と、
前記受信された情報から前記開示度に応じて情報を抽出する手段と、
前記抽出された情報を前記端末装置の使用者に提示する手段とを具備したことを特徴とする端末装置。
【請求項７】
相手端末に常時接続される端末装置であって、
第１の開示度を設定する手段と、
前記第１の端末の使用者に係わる複数の情報を取得する手段と、
前記複数の情報から前記第１の開示度に応じて情報を抽出する手段と、
前記抽出された情報を前記第２の端末へ送信する手段と、
第２の開示度を設定する手段と、
前記相手端末から送信された情報を受信する手段と、
前記受信された情報から前記第２の開示度に応じて情報を抽出する手段と、
前記抽出された情報を前記端末装置の使用者に提示する手段とを具備したことを特徴とする端末装置。
【請求項８】
相手端末に常時接続されるコンピュータを、
開示度を設定する手段と、
前記相手端末から送信された情報を受信する手段と、
前記受信された情報から前記開示度に応じて情報を抽出する手段と、
前記抽出された情報を前記端末装置の使用者に提示する手段として機能させることを特徴とするプログラム。
【発明の詳細な説明】
【技術分野】
【０００１】
本発明は、常時接続された２つの端末の間で、各端末の使用者に係わる情報を常時やり取りすることで両使用者の間でのコミュニケーションを可能とする常時接続型コミュニケーション方法、常時接続型コミュニケーションシステム、このシステムで使用される端末装置ならびにプログラムに関する。
【背景技術】
【０００２】
近年、ネットワークの高帯域化と常時接続環境の整備に伴い、遠隔見守りや安否確認などを目的とした、常時接続型コミュニケーション環境の研究開発が行われている。
従来、この種の常時接続型コミュニケーションにおいては、自分が見せたくない状況、プライバシーが侵害されると感じる状況を考慮し、開示情報を自分の意図に応じて任意に変更できる機能を有している。
【０００３】
【特許文献１】特開２００３−３１６７０７
【発明の開示】
【発明が解決しようとする課題】
【０００４】
以上のように従来は、相手側に送信する情報を制限することにより、送信側のユーザのプライバシーを保護することが考えられていた。
しかしながら、プライバシーを侵害してしまうことにも人は抵抗感を感じる。すなわち、相手によって制限されずに送られてきた情報であっても、その情報の受信者はその情報を見ることに抵抗感を持つことがあり得る。
【０００５】
本発明はこのような事情を考慮してなされたものであり、情報の受け手側の抵抗感の軽減を図ることにある。
【課題を解決するための手段】
【０００６】
以上の目的を達成するために本発明は、常時接続された第１および第２の端末を利用して前記第１の端末の使用者と前記第２の端末の使用者とのコミュニケーションを可能とする常時接続型コミュニケーション方法において、前記第１の端末では、第１の開示度を設定し、前記第１の端末の使用者に係わる複数の情報を取得し、前記複数の情報から前記第１の開示度に応じて情報を抽出し、前記抽出された情報を前記第２の端末へ送信し、前記第２の端末では、第２の開示度を設定し、前記第１の端末から送信された情報を受信し、前記受信された情報から前記第２の開示度に応じて情報を抽出し、前記抽出手段により抽出された情報を前記第２の端末の使用者に提示するようにした。
【０００７】
前記目的を達成するために本発明は、常時接続された第１および第２の端末を含む常時接続型コミュニケーションシステムの前記第１の端末に、第１の開示度を設定する手段と、前記第１の端末の使用者に係わる複数の情報を取得する手段と、前記複数の情報から前記第１の開示度に応じて情報を抽出する手段と、前記抽出された情報を前記第２の端末へ送信する手段とを具備し、前記第２の端末に、第２の開示度を設定する手段と、前記第１の端末から送信された情報を受信する手段と、前記受信された情報から前記第２の開示度に応じて情報を抽出する抽出手段と、前記抽出手段により抽出された情報を前記第２の端末の使用者に提示する手段とを備えた。
【０００８】
前記目的を達成するために本発明は、相手端末に常時接続される端末装置を、開示度を設定する手段と、前記相手端末から送信された情報を受信する手段と、前記受信された情報から前記開示度に応じて情報を抽出する手段と、前記抽出された情報を前記端末装置の使用者に提示する手段とを備えて構成した。
【０００９】
前記目的を達成するために本発明は、相手端末に常時接続される端末装置を、第１の開示度を設定する手段と、前記第１の端末の使用者に係わる複数の情報を取得する手段と、前記複数の情報から前記第１の開示度に応じて情報を抽出する手段と、前記抽出された情報を前記第２の端末へ送信する手段と、第２の開示度を設定する手段と、前記相手端末から送信された情報を受信する手段と、前記受信された情報から前記第２の開示度に応じて情報を抽出する手段と、前記抽出された情報を前記端末装置の使用者に提示する手段とを備えて構成した。
【００１０】
前記目的を達成するために本発明は、相手端末に常時接続されるコンピュータを、開示度を設定する手段と、前記相手端末から送信された情報を受信する手段と、前記受信された情報から前記開示度に応じて情報を抽出する手段と、前記抽出された情報を前記端末装置の使用者に提示する手段として機能させるようにプログラムを構成した。
【発明の効果】
【００１１】
本発明によれば、端末装置では、受信した情報の提示を制限することが可能となり、情報の受け手側の抵抗感の軽減を図ることができる。
【発明を実施するための最良の形態】
【００１２】
以下、図面を参照して本発明の実施形態について説明する。
（第１の実施形態）
図１は第１の実施形態に係る常時接続型コミュニケーションシステムの概略構成を示すブロック図である。  
図１に示す常時接続型コミュニケーションシステムは、互いに同一構造をなす２つの端末装置１を常時接続して構成される。２つの端末装置１は、それぞれ別々の使用者によって使用される。例えば２つの端末装置１は、別々の世帯の居宅にそれぞれ設置され、各世帯の家族によって使用される。そして、両世帯の間での常時コミュニケーションを可能とする。なお第１の実施形態においては、２つの端末装置１は、図１に示すようにＡ世帯およびＢ世帯により使用されることとする。
【００１３】
端末装置１は、カメラ１１、マイク１２、センサ１３、開示度設定部１４、開示制御部１５、送信部１６、受信部１７、提示制御部１８、表示部１９、スピーカ２０およびフィードバック部２１を含む。
この端末装置１は、例えば汎用のコンピュータ装置を基本ハードウェアとして用いることができる。そして開示度設定部１４、開示制御部１５、提示制御部１８およびフィードバック部２１は、上記のコンピュータ装置に搭載されたプロセッサにプログラムを実行させることにより実現することができる。このときに端末装置１は、上記のプログラムが上記のコンピュータ装置に予めインストールされて実現されても良いし、各種のリムーバブルな記録媒体に記録して、あるいはネットワークを介して上記のプログラムを配布し、このプログラムを上記のコンピュータ装置に適宜インストールして実現されても良い。
【００１４】
カメラ１１は、映像情報を取得する。カメラ１１としては、例えばビデオカメラや電子スチルカメラなどが利用可能である。マイク１２は、音声情報を取得する。センサ１３は、端末装置１の使用者のバイタル値や周囲環境に係わる値を測定する。センサ１３としては、例えば心拍計、温度センサ、光センサ、あるいは振動センサなどを用いることができる。これらのカメラ１１、マイク１２およびセンサ１３により、使用者に係わる複数の情報が取得される。
【００１５】
開示度設定部１４は、使用者の指示に応じて、第１の開示度および第２の開示度を個別に設定する。開示制御部１５は、カメラ１１、マイク１２およびセンサ１３から出力される情報のうちから第１の開示度に応じた情報を抽出して、この抽出した情報を含んだ伝送情報を作成する。送信部１６は、開示制御部１５により作成された伝送情報を相手側の端末装置１（以下、相手端末と称する）へ送信する。送信部１６は、フィードバック部２１から後述のように出力されるフィードバック情報も相手端末へ送信する。
【００１６】
受信部１７は、相手端末から送信された伝送情報を受信する。提示制御部１８は、受信部１７により受信された伝送情報から第１の開示度に応じた情報を抽出し、この抽出した情報を提示するように表示部１９およびスピーカ２０を制御する。
表示部１９は、提示制御部１８の制御の下に情報を表示する。表示部１９としては、例えば液晶表示器などが利用可能である。スピーカ２０は、提示制御部１８の制御の下に音声を再生する。
フィードバック部２１は、提示制御部１８により抽出された情報を含んだフィードバック情報を作成する。
【００１７】
次に以上のように構成された第１の実施形態の常時接続型コミュニケーションシステムの動作について説明する。  
図２は端末装置１における処理手順を示すフローチャートである。端末装置１は、起動されると図２に示すような処理を実行する。
【００１８】
端末装置１はまず、ステップＳａ１乃至ステップＳａ３の待ち受け状態に入る。この待ち受け状態において端末装置１は、送信タイミングが到来するか、受信部１７で伝送情報が受信されるか、あるいは開示度の変更が要求されるのを待ち受ける。
使用者により開示度の変更が要求された場合に端末装置１では、開示度設定部１４がステップＳａ３からステップＳａ４へ進む。ステップＳａ４において開示度設定部１４は、操作者による変更対象の指示を入力する。そしてステップＳａ５において開示度設定部１４は、変更対象が第１の開示度および第２の開示度のいずれであるかを確認する。
【００１９】
第１の開示度が変更対象として指示されたのであれば、開示度設定部１４はステップＳａ５からステップＳａ６へ進む。ステップＳａ６において開示度設定部１４は、使用者により指定される開示度を入力する。ステップＳａ７において開示度設定部１４は、第１の開示度を上記の入力した開示度に変更する。こののちに端末装置１は、ステップＳａ１乃至ステップＳａ３の待ち受け状態に戻る。
【００２０】
第２の開示度が変更対象として指示されたのであれば、開示度設定部１４はステップＳａ５からステップＳａ８へ進む。ステップＳａ８において開示度設定部１４は、使用者により指定される開示度を入力する。ステップＳａ８において開示度設定部１４は、第２の開示度を上記の入力した開示度に変更する。こののちに端末装置１は、ステップＳａ１乃至ステップＳａ３の待ち受け状態に戻る。
【００２１】
さて、カメラ１１、マイク１２およびセンサ１３は、端末装置１の使用者に係わる各種の情報を取得し、出力している。例えばカメラ１１は、端末装置１が設置された居室の映像情報を取得する。例えばマイク１２は、端末装置１が設置された居室の音声を取得する。センサ１３は、端末装置１の使用者の心拍数などのバイタル情報や、端末装置１が設置された居室の温度や明るさなどの環境情報を取得する。これらの情報は、開示制御部１５に入力される。開示制御部１５は、カメラ１１、マイク１２およびセンサ１３から出力される各種の情報を一時的に記憶しておく。
【００２２】
送信タイミング（例えば一定時間毎）が到来したならば端末装置１では、開示制御部１５がステップＳａ１からステップＳａ１０へ進む。ステップＳａ１０において開示制御部１５は、現在設定されている第１の開示度を判定する。そしてステップＳａ１１において開示制御部１５は、一時的に記憶してある各種の情報の中から第１の開示度に応じた情報を抽出して、この抽出した情報を含んだ伝送情報を作成する。この伝送情報は、送信部１６によって相手端末へ送信される。伝送情報を作成し終えたならば、端末装置１はステップＳａ１乃至ステップＳａ３の待ち受け状態に戻る。
【００２３】
一方、相手端末から送信された伝送情報が到来すると、この伝送情報は受信部１７によって受信される。そして受信された伝送情報は、提示制御部１８に与えられる。そうすると提示制御部１８は、ステップＳａ２からステップＳａ１２へ進む。ステップＳａ１２において提示制御部１８は、現在設定されている第２の開示度を判定する。続いてステップＳａ１３において提示制御部１８は、受信された伝送情報の中から第２の開示度に応じた情報を抽出する。そしてステップＳａ１４において提示制御部１８は、上記の抽出した情報を提示するように表示部１９およびスピーカ２０を制御する。こののち、端末装置１はステップＳａ１乃至ステップＳａ３の待ち受け状態に戻る。
【００２４】
なお、フィードバック部２１は、提示制御部１８により抽出された情報を含んだフィードバック情報を作成する。このフィードバック情報は、送信部１６により相手端末に送信される。相手端末から送信されたフィードバック情報は、受信部１７によって受信され、提示制御部１８に与えられる。提示制御部１８は、フィードバック情報を提示するように表示部１９およびスピーカ２０を制御する。フィードバック情報の提示は、受信情報から抽出した情報の提示と並行して行うようにしても良いし、使用者により要求された場合にのみ行うようにしても良い。
【００２５】
かくして、例えばＡ世帯において第１の開示度が音声のみの開示を許容する開示度に設定されているとするならば、音声情報のみを含んだ伝送情報がＡ世帯の端末装置１からＢ世帯の端末装置１へ送信される。Ｂ世帯において第２の開示度が音声の提示を許容する開示度に設定されているならば、Ｂ世帯の端末装置１では伝送情報から音声情報が抽出されて、この音声情報に基づいてスピーカ２０により音声が再生される。これにより、Ｂ世帯ではＡ世帯側の音声を聞くことができる。しかし、Ｂ世帯において第２の開示度が音声の提示を許容しない開示度に設定されているならば、Ｂ世帯の端末装置１では伝送情報から音声情報が抽出されず、スピーカ２０による音声の再生は行われない。これにより、Ｂ世帯ではＡ世帯側の音声を聞かずに済む。なお、提示制御部１８は、音声の提示が許容されておらず、グラフの提示が許容されている場合には、音声を音量グラフに変換して表示部１９に表示させるようにしても良い。
【００２６】
このように、送信側が許容する情報の開示度は第１の開示度として、また受信側が許容する情報の開示度は第２の開示度としてそれぞれ個別に設定される。そして、第１の開示度に基づいて送信側から受信側に伝送された情報であっても、第２の開示度に基づいて開示が許容されない情報は受信側の端末装置１では提示されない。この結果、受信側の端末装置１の使用者は、見たくない映像や聞きたくない音声などが提示されることがない。
【００２７】
なお、このような動作により、送信側が開示した情報と、受信側で開示された情報とが相違する状況が生じる。しかし、受信側で提示された情報がフィードバック情報として送信側に返され、提示される。これにより、送信側の使用者が、相手側でどのような情報が提示されているかを確認することが可能である。
【００２８】
（第２の実施形態）
図３は第２の実施形態に係る常時接続型コミュニケーションシステムの概略構成を示すブロック図である。なお、図３において図１と同一の要素には同一の符号を付し、その詳細な説明は省略する。
図３に示す常時接続型コミュニケーションシステムは、互いに同一構造をなす２つの端末装置２を常時接続して構成される。２つの端末装置２は、それぞれ別々の使用者によって使用される。例えば２つの端末装置２は、別々の世帯の居宅にそれぞれ設置され、各世帯の家族によって使用される。そして、両世帯の間での常時コミュニケーションを可能とする。なお第２の実施形態においては、２つの端末装置２は、図３に示すようにＡ世帯およびＢ世帯により使用されることとする。
【００２９】
端末装置２は、カメラ１１、マイク１２、センサ１３、開示制御部１５、送信部１６、受信部１７、提示制御部１８、表示部１９、スピーカ２０、フィードバック部２１、自己履歴記憶部２２、相手履歴記憶部２３および開示度設定部２４を含む。すなわち端末装置２は、端末装置１における開示度設定部１４に代えて開示度設定部２４を備えるとともに、自己履歴記憶部２２および相手履歴記憶部２３を備えたものである。
【００３０】
自己履歴記憶部２２は、この自己履歴記憶部２２が設けられている端末装置２の使用者（以下、自使用者と称する）に係わる生活パターンの情報が記憶される。相手履歴記憶部２３は、相手端末の使用者（以下、相手使用者と称する）に係わる生活パターンの情報が記憶される。開示度設定部２４は、自己履歴記憶部２２に記憶された生活パターンに基づいて第１の開示度を自動設定する。開示度設定部２４は、相手履歴記憶部２３に記憶された生活パターンに基づいて第２の開示度を自動設定する。なお、生活パターンの情報は、使用者により手動で入力されても良いし、使用者の行動をセンサなどによって監視し、その履歴に基づいて自動的に作成しても良い。
【００３１】
次に以上のように構成された第２の実施形態の常時接続型コミュニケーションシステムの動作について説明する。  
図４は端末装置２における処理手順を示すフローチャートである。端末装置２は、起動されると図４に示すような処理を実行する。なお図４において、図２と同一の処理を行うステップには同一の符号を付し、その詳細な説明は省略する。
【００３２】
端末装置２はまず、ステップＳａ１，Ｓａ２，Ｓｂ１，Ｓｂ２の待ち受け状態に入る。この待ち受け状態において端末装置２は、送信タイミングが到来するか、受信部１７で伝送情報が受信されるか、自己時間帯が変化するか、あるいは相手時間帯が変化するのを待ち受ける。
【００３３】
送信タイミングが到来した場合、または相手端末から送信された伝送情報が受信部１７によって受信された場合、開示制御部１５または提示制御部１８が前記第１の実施形態のときと同様な処理を行う。従って、第１の開示度に基づく情報の送信と、第２の開示度に基づく受信情報の提示とが行われることについては、第２の実施形態は第１の実施形態と同様である。
【００３４】
さて、現時刻が自己履歴記憶部２２に記憶された生活パターンに示される新たな時間帯になった場合、開示度設定部２４は自己時間帯が変化したと判定する。そしてこの場合に開示度設定部２４は、ステップＳｂ１からステップＳｂ３へ進む。ステップＳｂ３において開示度設定部２４は、現時間帯に対応する開示度を判定する。そしてステップＳｂ４において開示度設定部２４は、第１の開示度を上記の判定した開示度に変更する。こののちに端末装置２は、ステップＳａ１，Ｓａ２，Ｓｂ１，Ｓｂ２の待ち受け状態に戻る。
【００３５】
一方、現時刻が相手履歴記憶部２３に記憶された生活パターンに示される新たな時間帯になった場合、開示度設定部２４は相手時間帯が変化したと判定する。そしてこの場合に開示度設定部２４は、ステップＳｂ２からステップＳｂ５へ進む。ステップＳｂ５において開示度設定部２４は、現時間帯に対応する開示度を判定する。そしてステップＳｂ６において開示度設定部２４は、第２の開示度を上記の判定した開示度に変更する。こののちに端末装置２は、ステップＳａ１，Ｓａ２，Ｓｂ１，Ｓｂ２の待ち受け状態に戻る。
【００３６】
かくして、例えばＡ世帯における食事時間帯においては、Ａ世帯に設置された端末装置２における第１の開示度およびＢ世帯に設置された端末装置２における第２の開示度が、いずれも食事時間帯に対応付けられた開示度に設定される。なお、時間帯毎の開示度は、第１の開示度と第２の開示度とで別々に設定可能とする。また時間帯毎の開示度は、個々の端末装置２で個別に設定可能とする。これにより、例えば、Ａ世帯では食事時間帯は音声のみを開示すると設定されている場合でも、Ｂ世帯では相手の食事時間帯は相手の音声の提示を許容しないと設定されているならば、Ｂ世帯に設置された端末装置２のスピーカ２０からはＡ世帯の食事時間帯における音声は出力されないように自動設定される。このほか、例えば「毎週水曜日の語学講座をＴＶで見る時間帯は、音声は提示せず、グラフや映像のみ提示する。」といった設定が可能である。
【００３７】
このように第２の実施形態においても、第１の実施形態と同様に、送信側から受信側に伝送された情報であっても、第２の開示度に基づいて開示が許容されない情報は受信側の端末装置２では提示されない。この結果、受信側の端末装置２の使用者は、見たくない映像や聞きたくない音声などが提示されることがない。そしてさらに第２の実施形態によれば、第１の開示度および第２の開示度が自動的に設定されるので、使用者が第１の開示度および第２の開示度を設定する手間が無い。
【００３８】
この実施形態は、次のような種々の変形実施が可能である。  
第２の実施形態においては、開示度設定部２４において、自使用者に装着されたバイタルセンサの出力値に基づいて第１の開示度を自動設定したり、相手使用者に装着されたバイタルセンサの出力値に基づいて第２の開示度を自動設定したりすることが可能である。例えば、心拍計の出力値から緊張・興奮状態であることがわかる状況では、音声や映像のような直接的な情報の送信や提示を行わないように自動設定することにより、子供を叱っているような場面の音声や映像の送信や提示を行わないようにすることができる。なおこの場合には例えば、センサ１３に含めたバイタルセンサの出力を開示度設定部２４に入力するとともに、受信部１７で受信される伝送情報に含まれる相手端末のバイタルセンサの出力値を開示度設定部２４に入力するようにすれば良い。
【００３９】
第２の実施形態においては、開示度設定部２４において、自使用者の世帯にある環境センサの出力値に基づいて第１の開示度を自動設定したり、相手使用者の世帯にある環境センサの出力値に基づいて第２の開示度を自動設定したりすることが可能である。例えば、明るさセンサや温度センサの出力値から、睡眠時である等、生活行動を想定することができるので、これに応じて開示度を自動設定することによって、自使用者の生活行動に応じた送信情報の制限と、相手使用者の生活行動に応じた受信情報の提示制限とが実現できる。なおこの場合には例えば、センサ１３に含めた環境センサの出力を開示度設定部２４に入力するとともに、受信部１７で受信される伝送情報に含まれる相手端末の環境センサの出力値を開示度設定部２４に入力するようにすれば良い。
【００４０】
情報を取得するための手段としては、カメラ１１、マイク１２およびセンサ１３以外の情報入力デバイスが含まれても良い。また、カメラ１１、マイク１２およびセンサ１３などのような情報入力デバイスは、端末装置１，２に含まずに、別体のものを外付けする形態としても良い。そしてこの場合には、端末装置１，２に情報を取得するための手段としてインタフェース回路などを備え、上記のような外部の情報入力デバイスが出力する情報を取得するようにすれば良い。
【００４１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４２】
【図１】本発明の第１の実施形態に係る常時接続型コミュニケーションシステムの概略構成を示すブロック図。
【図２】図１中の端末装置１における処理手順を示すフローチャート。
【図３】本発明の第２の実施形態に係る常時接続型コミュニケーションシステムの概略構成を示すブロック図。
【図４】図３中の端末装置２における処理手順を示すフローチャート。
【符号の説明】
【００４３】
１，２…端末装置、１１…カメラ、１２…マイク、１３…センサ、１４…開示度設定部、１５…開示制御部、１６…送信部、１７…受信部、１８…提示制御部、１９…表示部、２０…スピーカ、２１…フィードバック部、２２…自己履歴記憶部、２３…相手履歴記憶部、２４…開示度設定部。
【図１】
2006163572.tif 000003
【図２】
2006163572.tif 000004
【図３】
2006163572.tif 000005
【図４】
2006163572.tif 000006